(57)【特許請求の範囲】
【請求項１】
遊技場内に設けられた各遊技島毎に設置し、遊技島に設けられた複数の遊技媒体貸し機から搬送された貨幣を貯留して、貨幣の両替および遊技媒体の数を記録した記録媒体による精算を行うときに前記貯留した貨幣を払出しに用いることが可能な両替精算装置であって、
前記遊技媒体貸し機から搬送される低額貨幣の貯留と放出を行う低額貨幣処理部と、
両替時に挿入される高額貨幣の貯留と放出を行う高額貨幣処理部と、
両替の実行と中止および精算の実行と中止を制御する制御手段とを具備し、
前記遊技場内の各遊技島に設けられた前記遊技媒体貸し機、遊技機および関連機器並びに前記両替精算装置との間で各種情報の授受が可能な両替精算管理端末が接続され、
該両替精算管理端末は前記の各両替精算装置における低額貨幣および高額貨幣の貯留量を均等にすべく、貨幣の流通状態により前記各両替精算装置ごとに両替の実行と中止および精算の実行と中止を前記制御手段に命じることが可能なことを特徴とする両替精算装置。
【請求項２】
前記両替精算管理端末は、遊技島毎に該遊技島において遊技中の遊技機と対になった遊技媒体貸し機への貨幣の投入が多い遊技機と貨幣の投入が少ない遊技機に異なる重みを付けて合計したものを遊技機の総数で除した島内稼動係数を、高額貨幣の貯留量の増加に応じて大きくなる高額貨幣係数と低額貨幣の貯留量の増加に応じて小さくなる両替貨幣係数とを加えたものから減算して各両替精算装置毎の両替制御指数として算出し、
隣り合う両替精算装置の両替制御指数の差を算出し、
該両替制御指数の差が所定の上限値に達した場合に両替制御指数の値の大きい両替精算装置の両替を中止させるべく前記制御手段に両替中止信号を出力し、前記両替制御指数の差が所定の下限値に達した場合には両替の中止を解除させるべく前記制御手段に両替中止解除信号を出力するよう設定されたことを特徴とする請求項１に記載の両替精算装置。
【請求項３】
前記両替精算管理端末は、前記高額貨幣係数と低額貨幣の貯留量の増加に応じて大きくなる精算貨幣係数とを加えたものに前記島内稼動係数を加算して各両替精算装置毎の精算制御指数として算出し、
隣り合う両替精算装置の精算制御指数の差を算出し、
該精算制御指数の差が所定の上限値に達した場合に精算制御指数の値の小さい両替精算装置の精算を中止させるべく前記制御手段に精算中止信号を出力し、前記精算制御指数の差が所定の下限値に達した場合には精算の中止を解除させるべく前記制御手段に精算中止解除信号を出力するよう設定されたことを特徴とする請求項２に記載の両替精算装置。
【請求項４】
前記両替精算管理端末は、操作者の任意の操作により両替中止信号、両替中止解除信号、精算中止信号および精算中止解除信号を前記制御手段に出力可能に設定されたことを特徴とする請求項１、２または３に記載の両替精算装置。
【請求項５】
前記両替精算装置は、前記両替精算管理端末からの表示信号により両替が中止されているか否か、および、精算が中止されているか否かの表示が可能な両替精算状況表示部を備えたことを特徴とする請求項１、２、３または４に記載の両替精算装置。
【請求項６】
前記両替精算装置は、両替する貨幣を入れる投入口の開閉が可能な投入口シャッターと、精算する記録媒体を挿入する挿入口の開閉が可能な挿入口シャッターとを具備し、
前記制御手段は、前記両替精算管理端末から出力される両替中止信号を受けて前記投入口シャッターにより前記投入口を閉鎖し、前記両替精算管理端末から出力される両替中止解除信号を受けて前記投入口を開放可能とし、
前記両替精算管理端末から出力された精算中止信号を受けて前記挿入口シャッターにより前記挿入口を閉鎖し、前記両替精算管理端末から出力された精算中止解除信号を受けて前記挿入口を開放可能としたことを特徴とする請求項１、２、３、４および５に記載の両替精算装置。
【発明の詳細な説明】
【０００１】
【発明の属する技術分野】
本発明は、遊技場内に設けられた各遊技島毎に設置し、遊技島に設けられた複数の遊技媒体貸し機から搬送された貨幣を貯留して、貨幣の両替および遊技媒体の数を記録した記録媒体による精算を行うときに前記貯留した貨幣を払出しに用いることが可能な両替精算装置に関する。
【０００２】
【従来の技術】
従来の一般的な両替機は、予め両替機内に低額貨幣を貯留しておき、高額紙幣の挿入があったときに、それと同額の金銭を低額貨幣に交換して払い出していた。
【０００３】
しかし、このような両替機では両替がある度に貯留した低額貨幣が減って行くので遊技場側では低額貨幣を補給するために注意を払っていなければならず煩雑であった。このような不都合を解消するものとして例えば特開平５−２９０２４１号に示すようなものがある。
【０００４】
すなわち、遊技島の両端部に設置し、同遊技島に多数設置した遊技媒体貸し機から搬送されてくる低額貨幣を回収し、その回収した低額貨幣を内部に貯留して、両替用の低額貨幣として使用する両替機である。
【０００５】
一方、従来の精算装置としては、例えば、特開昭６３−１８６６８０号に示すようなものがある。
【０００６】
すなわち、遊技媒体貸し機からの遊技媒体の借受けが可能なプリペイドカードの販売とプリペイドカードに残高がある場合にそれを精算して残高分の貨幣を排出するようにした精算装置である。
【０００７】
【発明が解決しようとする課題】
しかしながら、上記のような両替機では、高額紙幣は貯留される一方であるので遊技店の従業員はしばしば高額紙幣の回収を行う必要があり、そのためにしばしば注意を払わなければならず煩雑であるという問題点があった。
【０００８】
また、その回収回数を減らすためには高額紙幣の貯留部を大型化しなければならず、必然的に両替機全体が大型化してしまうという問題点があった。
【０００９】
一方、上記のような精算装置においては、低額貨幣の補給に伴う上記の不都合は解決されていなかった。
【００１０】
さらに、両替機と精算装置を別個に遊技場内に設けることは上記問題点が増えることと空間の有効利用の点で好ましくはなかった。
【００１１】
本発明は、このような従来の問題点に着目してなされたもので、遊技者が１００００円や５０００円等の高額紙幣を遊技に使用する低額貨幣に両替するための両替装置と遊技者が獲得した遊技媒体を現金に精算するための精算装置に関し、高額紙幣の補給および回収を行う場合に一括して行えるような両替精算装置の制御システムを提供することを目的とする。
【００１２】
【課題を解決するための手段】
かかる目的を達成するための要旨とするところは、次の各項に存する。
【００１３】
［１］
遊技場内に設けられた各遊技島（１）毎に設置し、遊技島（１）に設けられた複数の遊技媒体貸し機（２）から搬送された貨幣を貯留して、貨幣の両替および遊技媒体の数を記録した記録媒体による精算を行うときに前記貯留した貨幣を払出しに用いることが可能な両替精算装置（１０）であって、
前記遊技媒体貸し機（２）から搬送される低額貨幣の貯留と放出を行う低額貨幣処理部（１１）と、
両替時に挿入される高額貨幣の貯留と放出を行う高額貨幣処理部（１２）と、両替の実行と中止および精算の実行と中止を制御する制御手段（３０）とを具備し、
前記遊技場内の各遊技島（１）に設けられた前記遊技媒体貸し機（２）、遊技機（３）および関連機器並びに前記両替精算装置（１０）との間で各種情報の授受が可能な両替精算管理端末（５０）が接続され、
該両替精算管理端末（５０）は前記の各両替精算装置（１０）における低額貨幣および高額貨幣の貯留量を均等にすべく、貨幣の流通状態により前記各両替精算装置（１０）ごとに両替の実行と中止および精算の実行と中止を前記制御手段（３０）に命じることが可能なことを特徴とする両替精算装置（１０）。
【００１４】
［２］
前記両替精算管理端末（５０）は、遊技島（１）毎に該遊技島（１）において遊技中の遊技機（３）と対になった遊技媒体貸し機（２）への貨幣の投入が多い遊技機（３）と貨幣の投入が少ない遊技機（３）に異なる重みを付けて合計したものを遊技機（３）の総数で除した島内稼動係数を、高額貨幣の貯留量の増加に応じて大きくなる高額貨幣係数と低額貨幣の貯留量の増加に応じて小さくなる両替貨幣係数とを加えたものから減算して各両替精算装置（１０）毎の両替制御指数として算出し、
隣り合う両替精算装置（１０）の両替制御指数の差を算出し、
該両替制御指数の差が所定の上限値に達した場合に両替制御指数の値の大きい両替精算装置（１０）の両替を中止させるべく前記制御手段（３０）に両替中止信号を出力し、前記両替制御指数の差が所定の下限値に達した場合には両替の中止を解除させるべく前記制御手段（３０）に両替中止解除信号を出力するよう設定されたことを特徴とする項１に記載の両替精算装置（１０）。
【００１５】
［３］
前記両替精算管理端末（５０）は、前記高額貨幣係数と低額貨幣の貯留量の増加に応じて大きくなる精算貨幣係数とを加えたものに前記島内稼動係数を加算して各両替精算装置（１０）毎の精算制御指数として算出し、
隣り合う両替精算装置（１０）の精算制御指数の差を算出し、
該精算制御指数の差が所定の上限値に達した場合に精算制御指数の値の小さい両替精算装置の精算を中止させるべく前記制御手段（３０）に精算中止信号を出力し、前記精算制御指数の差が所定の下限値に達した場合には精算の中止を解除させるべく前記制御手段（３０）に精算中止解除信号を出力するよう設定されたことを特徴とする項２に記載の両替精算装置（１０）。
【００１６】
［４］
前記両替精算管理端末（５０）は、操作者の任意の操作により両替中止信号、両替中止解除信号、精算中止信号および精算中止解除信号を前記制御手段（３０）に出力可能に設定されたことを特徴とする項１、２または３に記載の両替精算装置（１０）。
【００１７】
［５］
前記両替精算装置（１０）は、前記両替精算管理端末（５０）からの表示信号により両替が中止されているか否か、および、精算が中止されているか否かの表示が可能な両替精算状況表示部（２０）を備えたことを特徴とする項１、２、３または４に記載の両替精算装置（１０）。
【００１８】
［６］
前記両替精算装置（１０）は、両替する貨幣を入れる投入口（１３）の開閉が可能な投入口シャッター（１３Ｓ）と、精算する記録媒体を挿入する挿入口（１４）の開閉が可能な挿入口シャッター（１４Ｓ）とを具備し、
前記制御手段（３０）は、前記両替精算管理端末（５０）から出力される両替中止信号を受けて前記投入口シャッター（１３Ｓ）により前記投入口（１３）を閉鎖し、前記両替精算管理端末（５０）から出力される両替中止解除信号を受けて前記投入口（１３）を開放可能とし、
前記両替精算管理端末（５０）から出力された精算中止信号を受けて前記挿入口シャッター（１４Ｓ）により前記挿入口（１４）を閉鎖し、前記両替精算管理端末（５０）から出力された精算中止解除信号を受けて前記挿入口（１４）を開放可能としたことを特徴とする項１、２、３、４および５に記載の両替精算装置（１０）。
【００１９】
次に、上記手段の作用を説明する。
【００２０】
遊技場内に設けられた各遊技島（１）毎に設けられた複数の遊技媒体貸し機（２）からは該遊技媒体貸し機（２）に投入された貨幣が両替精算装置（１０）に搬送される。
【００２１】
搬送される貨幣のうち、例えば百円硬貨、五百円硬貨、千円札等の低額貨幣はそれらの貯留と放出を行う低額貨幣処理部（１１）に送られる。
【００２２】
搬送される貨幣のうち、例えば五千円札や一万円札等の高額紙幣はそれらの貯留と放出を行う高額貨幣処理部（１２）に送られる。
【００２３】
各両替精算装置（１０）に設けられた制御手段（３０）は、前記両替精算管理端末（５０）からの指示により両替の実行と中止および精算の実行と中止を制御するほか、前記両替精算管理端末（５０）からの表示信号により両替が中止されているか否か、および、精算が中止されているか否かの表示を前記両替精算状況表示部（２０）に行わせる。また、前記制御手段（３０）は、前記両替精算管理端末（５０）から出力される両替中止信号を受けて前記投入口シャッター（１３Ｓ）により前記投入口（１３）を閉鎖し、前記両替精算管理端末（５０）から出力された両替中止解除信号を受けて前記投入口（１３）を開放し、前記両替精算管理端末（５０）から出力される精算中止信号を受けて前記挿入口シャッター（１４Ｓ）により前記挿入口（１４）を閉鎖し、前記両替精算管理端末（５０）から出力された両替中止解除信号を受けて前記挿入口（１４）を開放するので、両替中止状態のときに遊技者が誤って貨幣を前記投入口（１３）へ入れてしまうことを防止し、精算中止状態のときに前記記録媒体を前記挿入口（１４）へ挿入してしまうことを防止することができる。
【００２４】
前記両替精算管理端末（５０）は、前記遊技場内の各遊技島（１）に設けられた前記遊技媒体貸し機（２）、遊技機（３）および関連機器並びに前記両替精算装置（１０）との間で各種情報の授受が可能に接続されており、前記の各両替精算装置（１０）における低額貨幣および高額貨幣の貯留量を均等にすべく、貨幣の流通状態により前記各両替精算装置（１０）ごとに両替の実行と中止および精算の実行と中止をするための信号を前記制御手段（３０）に出力することができる。
【００２５】
すなわち、前記両替精算管理端末（５０）は、遊技島（１）毎に該遊技島（１）において遊技中の遊技機（３）と対になった遊技媒体貸し機（２）への貨幣の投入が多い遊技機（３）と貨幣の投入が少ない遊技機（３）に異なる重みを付けて合計したものを遊技機（３）の総数で除して島内稼動係数とし、高額貨幣の貯留量の増加に応じて大きくなる高額貨幣係数と低額貨幣の貯留量の増加に応じて小さくなる両替貨幣係数とを加えたものから前記稼動係数を減算して各両替精算装置（１０）毎の両替制御指数として算出する。
【００２６】
算出した両替制御指数に基づいて隣り合う両替精算装置（１０）の両替制御指数との差を算出し、その差が所定の上限値に達した場合に両替制御指数の値の大きい両替精算装置（１０）の両替を中止させるべく前記制御手段（３０）に両替中止信号を出力する。この両替中止信号を受けた前記制御手段（３０）は上記のように両替を中止し、前記両替精算状況表示部（２０）に両替中止の表示をさせるとともに貨幣の前記投入口（１３）を前記投入口シャッター（１３Ｓ）により閉鎖する。
【００２７】
前記両替制御指数の差が所定の下限値に達した場合には両替の中止を解除させるべく前記制御手段（３０）に両替中止解除信号を出力する。この両替中止解除信号を受けた前記制御手段（３０）は前記両替精算状況表示部（２０）に両替可能の表示をさせるとともに前記投入口（１３）を閉鎖していた前記投入口シャッター（１３Ｓ）を開いて両替を可能な状態にする。
【００２８】
また、前記両替精算管理端末（５０）は、前記高額貨幣係数と低額貨幣の貯留量の増加に応じて大きくなる精算貨幣係数とを加えたものに前記島内稼動係数を加算して各両替精算装置（１０）毎の精算制御指数として算出し、隣り合う両替精算装置（１０）の精算制御指数の差を算出する。
【００２９】
該精算制御指数の差が所定の上限値に達した場合に精算制御指数の値の小さい両替精算装置の精算を中止させるべく前記制御手段（３０）に精算中止信号を出力し、該信号を受けた前記制御手段（３０）は、上記のように前記両替精算状況表示部（２０）に精算中止の表示をさせるとともに、前記挿入口シャッター（１４Ｓ）により前記挿入口（１４）を閉鎖する。
【００３０】
また、前記精算制御指数の差が所定の下限値に達した場合には精算の中止を解除させるべく前記制御手段（３０）に精算中止解除信号を出力し、該信号を受けた前記制御手段（３０）は、上記のように前記両替精算状況表示部（２０）に精算可能の表示をさせるとともに、前記挿入口シャッター（１４Ｓ）を開いて精算を可能な状態にする。
【００３１】
このように高額貨幣および低額貨幣の貯留量に基づいて遊技場全体の両替精算装置（１０）を制御しているので、高額貨幣の回収や低額貨幣の補給は同時期に必要となるので、高額貨幣の回収や低額貨幣の補給について頻繁に注意を払う必要がなくなるとともに、装置が大型化することなく両替と精算を１台の装置で行うことができる。
【００３２】
なお、前記両替精算管理端末（５０）は、操作者の任意の操作により両替中止信号、両替中止解除信号、精算中止信号および精算中止解除信号を前記制御手段（３０）に出力可能に設定してもよい。
【００３３】
【発明の実施の形態】
以下、図面に基づき本発明の一実施の形態を説明する。
【００３４】
図１から図２９は本発明の一の実施の形態を示している。
【００３５】
図４に示すように、本実施の形態においては、遊技島１に設けられた遊技機３をパチンコ機とし、したがって、遊技媒体はパチンコ玉であり、遊技媒体貸し機２は玉貸し機として示すが、本発明はこれに限らず、例えば、遊技機はスロットマシン等のコイン遊技機等であってもよく、したがって、遊技媒体としてスロットマシン等に使用されるメダル等でもよい。
【００３６】
図１はＬＯＮ（Ｌｏｃａｌ Ｏｐｅｒａｔｉｎｇ  Ｎｅｔｗｏｒｋ：エシャロン社登録商標）技術を応用した分散型ネットワーク遊技場用管理システム図である。
【００３７】
遊技島１には中継器（以下、台コントローラと称す）が配設されており、該台コントローラにＬＯＮチップを用いて、パチンコ機３、玉貸機２、遊技媒体の計数機、両替精算装置１０等が設けられ、検知、監視、制御を行うものである。
【００３８】
各遊技島１、１、…は、ゲートウェイを兼ねた島コントローラに接続されている。該島コントローラは各遊技島１、１、…に設けたパチンコ機３、玉貸機２、計数機、両替精算装置１０等の各データを一時集積し、記憶することができる。該島コントローラはＬＡＮと接続され、該ＬＡＮに、ホール端末機、ホール管理コンピュータ、景品管理端末機、両替精算管理端末５０、ＰＯＳ装置がそれぞれ接続されている。これらの装置とディスプレイ、プリンタ、モデム、音声出力装置等が更に接続されている。
【００３９】
図２は、両替精算装置１０の斜視図である。
【００４０】
両替精算装置１０の表側である接客面には、両替が可能であるか中止されているかの両替状況及び精算が可能であるか中止されているかの精算状況を表示するための両替精算状況表示部２０が設けられている。
【００４１】
また、前記両替精算状況表示部２０の下方には、例えば両替をしようとする遊技者が両替や精算の内訳を入力するための各種操作部１５、両替や精算の内訳を表示するための主表示部１６、獲得したパチンコ玉の数が記録された記録媒体のカードを挿入し、また、排出されるカード挿入口１４、スピーカ等が設けられている。なお、カード挿入口１４の内奥には精算中止のときに該カード挿入口１４を塞ぐための挿入口シャッター（第２シャッター）１４Ｓが設けられている（図５参照）。
【００４２】
更に下方には、余り玉返却口、両替を行う紙幣の挿入または排出がなされる紙幣投入口（高額紙幣挿入口）が設けられ、最下部には、貨幣の放出口がそれぞれ１００００円札放出口１７ａ、５０００円札放出口１７ｂ、１０００円札放出口１７ｃ、５００円硬貨と１００円硬貨を放出する硬貨放出口１７ｄが設けられて、各々放出口の上方には放出口に貨幣が放出された旨をランプの点燈にて報知する放出表示ランプが設けられている。なお、紙幣投入口の内奥には両替中止のときに該紙幣投入口を塞ぐための投入口シャッター（第１シャッター）１３Ｓが設けられている（図５参照）。
【００４３】
本実施の形態では、１００００円札と５０００円札を高額貨幣とし、１０００円札、５００円玉および１００円玉を低額貨幣と定めたが、定め方はどの様に行ってもよい。
【００４４】
また、記憶媒体を単なるカードとして説明するが、本発明では、このカードをＩＣカード或いは磁気力ード、リライトカード等どの様なカードであってもよい。
【００４５】
図３は、両替精算装置１０を遊技島１に設置した状態斜視図であり、図４は、両替精算装置１０を遊技島１に設置した状態斜視図の一部拡大図である。
【００４６】
遊技島１には複数のパチンコ機３及び玉貸機２が並設され、遊技島１のほぼ中央に計数機が設けられている。
【００４７】
両替精算装置１０は、遊技島１の一端に設けられ、玉貸機２により投入された硬貨（１００円玉、５００円玉）が硬貨回収装置４０Ａにて回収され、１００円玉スタッカ４１、５００円玉スタッカ４２にそれぞれ貯留される。
【００４８】
この際に、遊技島１から両替精算装置１０内に入る所にセンサ（図５参照）を設け、遊技島の売上を管理するようになっている。
【００４９】
また、玉貸機２に挿入された紙幣（１０００円札）は紙幣搬送装置４０Ｂによって両替精算装置１０に搬送され、１０００円札スタッカ４３に貯留される。
【００５０】
ここでも、紙幣の流通状況を検知するために紙幣が両替精算装置１０内に入る所にセンサが設けられている。
【００５１】
また、両替作業時に挿入される高額紙幣（５０００円札、１００００円札）は、挿入されると、識別機で真正紙幣か否かを識別し、真正紙幣ならばそれぞれ５０００円札スタッカ４４、１００００円札スタッカ４５に貯留されるように構成されている。
【００５２】
図５は、両替精算装置１０の構成を示すブロック図である。
【００５３】
両替精算装置１０内部には、遊技島１の玉貸機２から搬送された低額貨幣の貯留と放出等を行う低額貨幣処理部１１と玉貸機２から搬送された高額貨幣の貯留と放出等を行う高額貨幣処理部１２が設けられている。
【００５４】
低額貨幣処理部１１は両替時に挿入された低額貨幣或いは、遊技島１の玉貸機２から搬送された低額貨幣を貯留する低額貨幣貯留部（１００円玉スタッカ４１、５００円玉スタッカ４２、１０００円札スタッカ４３）と、貯留された低額貨幣の量を検知するためのセンサとが設けられ、高額貨幣処理部１２は両替時に挿入された該高額貨幣を貯留する高額貨幣貯留部（５０００円札スタッカ４４、１００００円札スタッカ４５）と、貯留された高額貨幣の量を検知するためのセンサとが設けられ、制御装置３０のＣＰＵから情報送受信部、台コントローラ、島コントローラを介して両替精算管理端末機５０（後述する図８、図９参照）に送信されるように構成されている。
【００５５】
また、上記の各貨幣貯留部に貯留されている貨幣は、前記各種操作部１５による両替作業及び精算作業に基づいて貨幣放出駆動部により放出口に放出される。
【００５６】
一方、獲得したパチンコ玉数の記録されたカードを精算するときに該カードを挿入するカード挿入口１４の内奥には、カードの識別手段１４ａと、識別後のカードに記録された獲得パチンコ玉数を読み出すためのカード読取手段１４ｂが配設されている。読み出したパチンコ玉数に対して予め定められた換金率に基づいた換金額を算出するためにカード読取手段１４ｂは制御手段３０と接続されている。
【００５７】
なお、予め定められた換金率で積算することにより、本実施例で最低金額として定めた１００円に満たない金額は、余り玉として、余り玉返却口より返却するように構成されている。
【００５８】
また、前記スピーカは、各種操作の説明を行ったり或いは効果音を発するために設けられている。
【００５９】
また、これら両替精算装置１０で行われた作業及び情報も、情報送受信部から台コントローラヘ送信され、島コントローラを介して両替精算管理端末機５０に送信されるように構成されている。
【００６０】
図６は、両替精算装置１０の主表示部１６の精算時の表示状態図である。
【００６１】
持ち玉数として表示された数字はカードに記録された獲得パチンコ玉数であり、換金額として表示された数字は獲得パチンコ玉数に所定の換金率を乗じて算出された換金額である。
【００６２】
ここでは、獲得パチンコ玉数の８０００［個］に換金率２．５［円／個］を乗じた結果、換金額が２００００円であることが表示されている。
【００６３】
また、下部に表示される払い出し金種には１００００円札、５０００円札、１０００円札の各枚数と、５００円玉の数が表示可能であり、図６では換金額が上記のように換金額２００００円に対して１００００円札が２枚と表示された例を示している。換金額の確認とその払出しを受けるための確認ボタンは各種操作部１５に設けられている。
【００６４】
ここで、払い出される金種を上記の例でいえば１００００円札２枚から他の金種の組合せに変更するための金種変更手段を制御手段３０に備えさせて、そのための操作ボタンを各種操作部１５に設けてもよい。
【００６５】
或いは、換金額が表示された時点以降、引き続いて両替操作ができるようにしてもよい。
【００６６】
図７は両替精算状況表示部２０の表示状態図である。
【００６７】
両替精算状況表示部２０は制御手段３０に接続されており、制御手段３０の制御の下に精算或いは両替可能な場合は、例えばそれぞれ、「精算中」、「両替中」と表示し、一旦精算が中止すると「精算中止」、両替が中止すると「両替中止」と表示するものであり、表示部材としては例えば、液晶、ＬＥＤ、ブラウン管画面等であるが、特に問わず、その他どのようなものであってもよい。
【００６８】
ここで、表示内容は、上記の例に限らずどの様なものでもよい。
【００６９】
また、「両替中」、「精算中」を緑色で点燈し、「両替中止」、「精算中止」を赤色で点燈するなどを色を変えて点灯或いは点滅するように構成すると、遊技者にはより一層、目視による両替状況及び精算状況の把握が容易になる。
【００７０】
図８は、両替精算管理端末５０の斜視図であり、図９は、両替精算管理端末５０のブロック図である。
【００７１】
両替精算管理端末５０は一般的な情報処理装置から構成され、島コントローラからの情報を収集し記憶する両替精算情報及び遊技島１毎の遊技機３の稼動状況を記憶する両替・精算情報及び遊技稼動情報記憶部５１、当該記憶部５１に記憶されている情報を加工演算するＣＰＵ５２、このＣＰＵ５２の演算結果を表示する表示部（ＣＲＴ５３）、演算結果を出力するプリンタ５４、ＣＰＵ５２の加工演算の指示などを行う各種操作部（キーボード５４）、従業員等に報知する報知手段５５を具備している。
【００７２】
図１０は、遊技場の遊技島１、１…および両替精算装置１０、１０…の配置例を示したものであり、各遊技島１、１、１…の一端に各１台の両替精算装置１０が配設されている。遊技島１が並列に８つ設けられている。説明を容易にするために両替精算装置１０には、一端の遊技島１に設けられたものを１番両替精算装置１０と呼び、他端の遊技島に設けられた８番両替精算装置１０まで順次２番両替精算装置１０、３番両替精算装置１０、４番両替精算装置１０、５番両替精算装置１０、６番両替精算装置１０、７番両替精算装置１０と呼ぶ。
【００７３】
次に作用を説明する。
【００７４】
図１１は、両替中止及び両替中止の解除を行うための制御における高額貨幣貯留量および低額貨幣貯留量に対する高額貨幣係数、低額貨幣係数、島内稼動係数等を例示したものであり、図１２は、精算中止及び精算中止の解除を行うための制御における高額貨幣貯留量および低額貨幣貯留量に対する高額貨幣係数、低額貨幣係数、稼動係数等を例示したものである。また、図１３は、図１１および図１２の例示に基づいて８台の両替精算装置１０の両替および精算の制御状態を示したものである。
【００７５】
高額貨幣貯留量は図５に示した高額貨幣検知手段が検出し、低額貨幣貯留量は図５に示した高額貨幣検知手段が検出する。検出された情報は制御手段３０に伝達され、さらに両替精算管理端末５０へ伝達される。パチンコ機３の稼動状況も両替精算管理端末５０へ伝達される。
【００７６】
両替精算管理端末５０においては予め定められた高額貨幣の貯留量の増加に応じて大きくなる高額貨幣係数、低額貨幣の貯留量の増加に反して小さくなる両替低額貨幣係数、台毎の稼動状況に応じた稼動係数が決定され、稼動係数から島毎の島内稼動係数が算出され、それら各係数から両替制御指数が算出される。
【００７７】
高額貨幣の貯留量は「大」、「中」、「小」の３段階に区分けされ、図１１においては貯留量が「大」のとき高額貨幣係数は「＋６」とし、「中」の場合は「＋２」とし、「小」の場合は「＋１」とされる。低額貨幣の貯留量も「大」、「中」、「小」の３段階に区分けされ、貯留量が「大」のとき低額貨幣係数は「＋１」とし、「中」の場合は「＋２」とし、「小」の場合は「＋６」とされる。
【００７８】
また、前記稼動係数は、投入台（遊技中のパチンコ機で組となった玉貸し機２への貨幣の投入が多いパチンコ機）の場合は「＋２」の重みが付けられ、非投入台の場合の重みは「±０」とされる。
【００７９】
ここで、非投入台は、パチンコ機３であって組となった玉貸し機２への貨幣の投入がされにくい状態にあるパチンコ機で、遊技を行っていない非稼働台、稼動台で大当たりが発生しているフィーバー台、大当たり終了後も出玉で遊技を行える連続遊技台（図２９参照）のことを言う。
【００８０】
島内稼動係数は、両替精算管理端末５０が一の島内の全てのパチンコ機３、３…の稼動係数の和を同一の島内のパチンコ機の台数で除算することにより算出され、最終的に両替中止及び中止の解除に関係する両替制御指数は、前記高額貨幣係数と低額貨幣指数の和から前記島内稼動係数を引くことにより算出される。このようにして算出された各両替精算装置１０の両替制御指数は図１３に示されている。
【００８１】
次に、精算中止及び精算中止の解除の決定は、前記の高額貨幣係数、低額貨幣の貯留量の増加により大きくなる精算低額貨幣係数および前記島内稼動係数から算出される精算制御指数に基づいて両替精算管理端末５０が行う。
【００８２】
図１２に示したように精算低額貨幣係数は、前記と同じ低額貨幣量の「大」、「中」、「小」の基準で「大」のときは「＋６」とし、「中」のとき「＋２」とし、「小」のときは「＋１」とされる。高額貨幣係数と稼動係数は両替中止及び両替中止の解除を行うための制御に用いたものと同じであり、精算制御指数は、高額貨幣係数と精算低額貨幣係数および島内稼動係数の和により算出される。このようにして算出された各両替精算装置１０の精算制御指数は図１３に示されている。
【００８３】
両替精算管理端末５０は両替制御指数及び精算制御指数により両替中止及び中止の解除或いは精算中止及び中止の解除を各両替精算装置１０の制御手段３０に指示する。
【００８４】
図１３に示したように、両替精算管理端末５０は、両替制御指数が６．５以上の両替精算装置１０については両替を中止し、両替中止状態となっている両替精算装置１０の両替制御指数が５以下に下がると両替中止状態を解除して両替を可能にする。
【００８５】
また、精算制御指数が４以下の両替精算装置１０については精算を中止し、両替中止状態となっている両替精算装置１０の精算制御指数が５以上に上がると精算中止状態を解除して精算を可能にする。
【００８６】
遊技島間で両替精算装置１０の制御をする場合は、両替時は隣り合う両替精算装置１０、１０の両替制御指数の差が４以上の場合は、両替制御指数の大きい両替精算装置１０が両替中止状態とし、両替中止状態の両替精算装置１０の両替制御指数とその隣り合う両替精算装置１０、１０の両替制御指数との差が３．５以上となった場合は両替中止状態が解除して両替可能とする。
【００８７】
また、隣り合う両替精算装置１０、１０の精算制御指数の差が３．５以上の場合には精算制御指数の小さい両替精算装置１０を精算中止とし、中止状態の両替精算装置１０の精算制御指数とその隣り合う両替精算装置１０、１０の精算制御指数の差が３以上となった場合には精算中止状態を解除して精算可能とする。
【００８８】
したがって図１３に示したように両替制御指数が６．５以上である１番、５番、８番両替精算装置１０、１０、１０は両替中止状態にあり、精算制御指数が４以下である３番、４番両替精算装置１０、１０は精算中止状態となっている。
【００８９】
また、６番両替精算装置１０は精算制御指数が３．５以上であり、５番両替精算装置１０との精算制御指数の差が３．９であるので、精算中止状態になっている。
【００９０】
なお、以上の説明において両替が中止される場合の両替制御指数を６．５以上あるいは比較の対象とする隣り合う両替精算装置１０、１０の両替制御指数の差が５以上としたがこれらは異なる数値に設定してもよい。
【００９１】
また、両替中止の解除は、両替中止状態の両替精算装置１０の両替制御指数が５以下であり、且つ隣り合う両替精算装置１０との両替制御指数の差が３．５以上としたがこれらも異なる数値に設定してもよい。
【００９２】
また、精算が中止される場合の精算制御指数を４以下あるいは比較の対象とする隣り合う両替精算装置１０、１０の精算制御指数の差が３．５以下としたがこれらも異なる数値に設定することができる。
【００９３】
また、精算中止の解除は、精算中止状態の両替精算装置１０の精算制御指数が５以上であり、且つ隣り合う両替精算装置１０との精算制御指数の差が３以上であるとしたがこれらも異なる数値に設定することができる。
【００９４】
図１４は、図１０で説明した各遊技島に設置された両替精算装置１０、１０…の中で１番両替精算装置１０（以下、単に「１番装置」と呼ぶ。他の両替精算装置も同様に略称する。）の両替中止までの制御を示したフローチャート図である。
【００９５】
先ず、１番装置が両替中で、両替制御指数が６．５以上あるか否かを判別し、６．５未満の場合は、１番装置の両替制御指数から２番装置の両替制御指数を引いた値を求め、その差が４以上であるか否かを判別し、４未満の場合は１番装置は両替中の状態が維持され、４以上の場合は、１番装置は両替中止状態にされる（ステップ１４１〜１４３、１４７）。
【００９６】
１番装置の両替制御指数が６．５以上の場合は、隣り合う２番装置が両替中か否かを判別し、両替中の場合は１番装置が中止状態とされ、２番装置が両替中ではない場合は、１番装置の低額貨幣量と２番装置の低額貨幣量とを比較して、低額貨幣量の多い方の両替精算装置を両替中止とし、他方の両替を両替可能にする（ステップ１４２、１４４〜１４７）。
【００９７】
これにより、１番装置及び２番装置がともに両替中止となることはない。したがって、それらがともに両替中止となった場合には、１番装置の設けられた遊技島１の遊技機３で遊技中の遊技者が両替時に、わざわざ３番装置まで出向く必要があり、遊技者が両替するのに時間がかかり、延いてはパチンコ機の稼動が下がって売上が落ちるという不具合が生じていたが、本発明ではそのような不都合は皆無となる。
【００９８】
図１５、図１６、図１７、図１８は４番両替精算装置（４番装置）１０の両替中止までのフローチャート図である。
【００９９】
図１５に示したように、先ず、４番装置が両替中であり、両替制御指数が６．５以上か否かの判別を行い（ステップ１５１、１５２）、６．５以下の場合は、隣り合う装置との両替制御指数の比較を行わなければならないため、４番装置の両替制御指数から５番装置の両替制御指数の差をもとめ（ステップ１５７）、その値が４以上であれば４番装置を両替中止（ステップ１５５）し、４未満の場合は、４番装置の両替制御指数から３番装置の両替制御指数の差をもとめ（ステップ１５６）、その差が４以上であれば４番装置の両替を中止し（ステップ１５５）、４未満の場合は、４番装置は両替状態をそのまま維持される。
【０１００】
前記４番装置の両替制御指数が６．５以上の場合は、３番装置が両替中か否かを判別し、３番装置が両替中でない場合は、（Ａ）ヘ移行され（ステップ１５２、１５３）、３番装置が両替中である場合は、５番装置が両替中か否かを判別する（ステップ１５４）。
【０１０１】
５番装置が両替中でない場合は（Ｂ）に移行され、両替中である場合は４番装置の両替を中止する（ステップ１５５）。
【０１０２】
次に、前記（Ａ）ヘ移行された場合を図１６に示す。５番装置が両替中か否かを判別し（ステップ１６１）、両替中の場合は（Ｄ）に移行され、両替中でない場合は、２番装置が両替中か否かを判別し、６番装置が両替中か否かの判別をする（ステップ１６２、１６３）。
【０１０３】
２番両替装置が両替中で、且つ、６番装置が両替中の場合は、３番装置と４番装置の低額貨幣量を比較し４番装置が少ない場合は、３番装置と５番装置の低額貨幣量の少ない方の両替中止状態を解除し、４番装置が両替中止状態になる（Ｃ）に移行され（ステップ１６４、１６４ａ、１６４ｂ、１６４ｃ）、３番装置と４番装置の低額貨幣量を比較した結果、４番装置が多い場合は、４番装置と５番装置の低額貨幣量を比較し、４番装置が少ない場合は５番装置の両替中止状態を解除し、４番装置が両替中止状態になる（Ｃ）に移行され（ステップ１６５、１６６）、４番装置が多い場合は、両替中を維持する（Ｅ）に移行される。
【０１０４】
２番装置が両替中で、６番装置が両替中でない場合は、４番装置と５番装置の低額貨幣量を比較し、４番装置の方が多い場合は、両替中の状態を維持する（Ｅ）に移行され、５番装置の方が多い場合は、５番装置の両替中止状態を解除し、４番装置が両替中止状態になる（Ｃ）に移行される（ステップ１６２、１６３、１６３ａ、１６３ｂ）。
【０１０５】
また、２番装置が両替中でなく、６番装置も両替中ではない場合は、４番装置が両替中止状態になる（Ｃ）に移行され、２番装置は両替中でなく、６番装置が両替中の場合は、４番装置と３番装置の低額貨幣量を比較し、４番装置が多い場合は、両替中を維持する（Ｅ）に移行され、３番装置が多い場合は、３番装置の両替中止状態を解除し、４番装置が両替中止状態になる（Ｃ）に移行される（ステップ１６２、１６２ａ、１６２ｂ、１６２ｃ）。
【０１０６】
次に、前記（Ｂ）に移行された場合を図１７に示す。６番装置が両替中か否かを判別し、６番装置が両替中の場合は４番装置が両替中止状態になる（Ｃ）に移行され（ステップ１７１）、６番装置が両替中でない場合は、４番装置、５番装置、６番装置の低額貨幣量を比較し、４番装置の低額貨幣量が一番多い場合は、４番装置が両替可能状態を維持する（Ｅ）に移行され（ステップ１７２、１７３）、５番装置或いは６番装置の低額貨幣量が多い場合は、何れか貯留量の多い方の装置の中止状態を解除し、４番装置が中止状態になる（Ｃ）に移行される（ステップ１７４、１７５、１７６、１７７）。
【０１０７】
次に、前記（Ｄ）に移行された場合を図１８に示す。２番装置が両替中か否かを判別し（ステップ１８１）、２番装置が両替中の場合は４番装置が両替中止状態になる（Ｃ）に移行され、２番装置が両替中でない場合は、２番装置、３番装置及び４番装置の低額貨幣量を比較し、４番装置の貯留量が最も多い場合は、４番装置が両替可能状態を維持する（Ｅ）に移行され（ステップ１８２、１８３）、２番装置或いは３番装置の貯留量が多い場合は、何れか多い方の装置の両替中止状態を解除し（ステップ１８３〜１８７）、４番装置が中止状態になる（Ｃ）に移行される。
【０１０８】
図１９は両替精算装置１０の両替中止から両替中止解除までのフローチャート図である。
【０１０９】
先ず対象とする両替精算装置１０が中止状態にあり、他の装置との両替制御指数の比較等により、強制的に解除されるか否かを判別し、強制解除信号が入力されると、対象の両替精算装置の両替中止状態が解除される（ステップ１９２〜１９３）。
【０１１０】
強制解除信号が入力されない場合は、対象の両替精算装置１０の両替制御指数が５以下か否かを判別し、５より大きい場合は両替精算装置１０は両替中止状態を維持し、５以下の場合は、隣り合う両替精算装置１０の両替制御指数との差を求め、差が３．５以上である場合は、対象の両替精算装置１０の両替中止状態を維持し、３．５未満の場合で、且つ最も両替制御指数が大きい場合は、対象の両替精算装置１０の両替中止状態を解除する（ステップ１９４、１９５）。
【０１１１】
図２０は、１番両替精算装置１０の精算中止までのフローチャート図である。
【０１１２】
先ず、１番装置が精算中であり、１番装置の精算制御指数が４以下か否かを判別し、４より大きい場合は１番装置の精算制御指数から２番装置の精算制御指数を引いた値が３．５以上か否かを判別し、３．５以上の場合は１番装置を精算中止状態にし、３．５未満の場合は１番装置は精算可能状態を維持させる（ステップ２０１〜２０３）。
【０１１３】
前記１番装置の精算制御指数が４より大きい場合は、２番装置が精算中か否かを判別し、精算中の場合は１番装置が精算中止状態になり（ステップ２０４、２０５）、２番装置が精算中でない場合は１番装置と２番装置の精算制御指数を比較し、大きい方を精算可能にして、小さい方を精算中止状態にする（ステップ２０４、２０６、２０７）。
【０１１４】
図２１、図２２、図２３、図２４は４番両替精算装置１０の精算中止までの制御を示すフローチャート図である。
【０１１５】
図２１に示したように先ず、４番装置が精算中であり、精算制御指数が４以下か否かを判別する（ステップ２１０、２１１）。
【０１１６】
精算制御指数が４以下でない場合は、３番装置の精算制御指数と４番装置の精算制御指数の差が３．５以上ではなく、５番装置の精算制御指数と４番装置の精算制御指数の差が３．５以上ではない場合は、４番装置は精算可能状態を維持し、前記３番装置と４番装置又は５番装置と４番装置との精算制御指数の差がどちらか一方でも３．５以上である場合は４番装置の精算を中止する（ステップ２１２、２１３、２１６）。
【０１１７】
前記４番装置の精算制御指数が４以下の場合は、３番装置が精算中か否かを判別し、精算中でない場合は（Ａ）に移行され（ステップ２１４）、精算中の場合は、５番装置が精算中か否かを判別し、精算中でない場合は（Ｂ）に移行され、精算中である場合は４番装置の精算を中止する（ステップ２１５）。
【０１１８】
次に、前記（Ａ）に移行された場合を図２２に示す。５番装置が精算中か否かを判別し、精算中でない場合は（Ｄ）に移行され、精算中の場合は２番装置が精算中か否かを判別する（ステップ２２１、２２２）。
【０１１９】
２番装置が精算中の場合は４番装置の精算を中止する（Ｃ）に移行され、２番装置が精算中でない場合は２番装置、３番装置、４番装置の精算制御指数を比較し、精算制御指数の最も大きい装置が４番装置である場合は４番装置の精算可能状態を維持し、４番以外に最も精算制御指数が大きい装置が有る場合は、その最も精算制御指数の大きい装置の精算中止状態を解除し、４番装置の精算を中止する（Ｃ）に移行される（ステップ２２３〜２２７）。
【０１２０】
次に、前記（Ｂ）に移行された場合を図２３に示す。６番装置が精算中か否かを判別し、精算中の場合は４番装置の精算を中止する（Ｃ）に移行され（ステップ２３１）、精算中でない場合は４番装置、５番装置、６番装置の精算制御指数を比較し、最も精算制御指数が大きい装置が４番装置である場合は４番装置の精算可能状態を維持し、４番装置以外に最も精算制御指数が大きい装置が有る場合は、その最も精算制御指数の大きい装置の精算中止状態を解除し、４番装置の精算を中止する（Ｃ）に移行される（ステップ２３２〜２３６）。
【０１２１】
次に、前記（Ｄ）に移行された場合を図２４に示す。先ず、２番装置及び６番装置の精算状態の判別がされる。
【０１２２】
２番装置が精算中でなく、６番装置も精算中でない場合は４番装置の精算を中止する（Ｃ）に移行され（ステップ２４１、２４２）、２番装置は精算中でないが、６番装置が精算中の場合は３番装置と４番装置の精算制御指数を比較し、４番装置の精算制御指数が大きい場合は４番装置の精算を維持する（Ｅ）に移行され、３番装置の精算制御指数が大きい場合は３番装置の精算中止状態を解除し、４番装置の精算を中止する（Ｃ）に移行される（ステップ２４２、２４３、２４４）。
【０１２３】
２番装置が精算中であり、６番装置が精算中でない場合は４番装置と５番装置の精算制御指数を比較し、４番装置の精算制御指数が大きい場合は４番装置の精算可能状態を維持する（Ｅ）に移行され、５番装置の精算制御指数が大きい場合は５番装置の精算中止状態を解除し、４番装置の精算を中止する（Ｃ）に移行される（ステップ２４１、２４５〜２４７）。
【０１２４】
２番装置が精算中であり、６番装置も精算中である場合は３番装置、４番装置及び５番装置の精算制御指数を比較し、最も大きい値の装置が４番装置である場合は、４番装置の精算可能状態を維持する（Ｅ）に移行され、最も大きい値の装置が４番装置ではない場合は、精算制御指数の一番大きい装置の精算中止状態を解除し、４番装置の精算を中止する（Ｃ）に移行される（ステップ２４８、２４８１〜２４８３）。
【０１２５】
図２５は両替精算装置１０の精算中止から精算中止解除までのフローチャート図である。
【０１２６】
先ず対象とする両替精算装置１０が精算中止状態にあり、他の装置との精算制御指数の比較等により、強制的に解除されるか否かを判別し、強制解除信号が入力されると、対象の両替精算装置の精算中止状態が解除される（ステップ２５１〜２５３）。
【０１２７】
強制解除信号を入力されない場合は、対象の両替精算装置の精算制御指数が５以上か否かを判別し、５未満の場合は両替精算装置は精算中止状態を維持し、５以上の場合は、隣り合う両替精算装置の精算制御指数との差をもとめ、差が３以下でない場合は、対象の両替精算装置の精算中止状態を維持し、３より上の場合で、且つ最も精算制御指数が小さい場合は、対象の両替精算装置の精算中止状態を解除する（ステップ２５４、２５５）。
【０１２８】
図２６乃至図２８は、両替精算管理端末５０に表示される両替精算装置１０の状態確認画面図である。
【０１２９】
図２６は、第１例（通常時の例）である。
【０１３０】
画面には、予め定められている両替精算装置番号、両替の利用回数、精算の利用回数、島内稼動指数、両替制御指数、隣装置との両替制御指数差、精算制御指数、隣の装置との精算制御指数差、両替状況、精算状況、両替表示日時等が表示されている。
【０１３１】
１番、５番、８番両替精算装置は、両替制御指数がそれぞれ１１．１、６．８、１１．９であり、何れも６．５以上のため両替が中止されている。
【０１３２】
また、３番、４番両替精算装置は、精算制御指数がそれぞれ３．２、３．２であり、何れも４以下のため精算が中止され、６番両替精算装置は５番両替精算装置との精算制御指数差が３．９で、３．５以上であるために精算が中止される。
【０１３３】
図２７および図２８は、第２例である。
【０１３４】
通常の場合は図２７の確認画面図のように、１番、２番、５番、８番両替精算装置は、両替制御指数がそれぞれ１１．１、６．５、６．８、１１．９であり、何れも６．５以上のため両替が中止されている。
【０１３５】
また、２番、３番、４番両替精算装置は、精算制御指数がそれぞれ３．５、３．２、３．２であり、何れも４以下のため精算が中止され、６番両替精算装置は５番両替精算装置との精算制御指数差が３．９で、３．５以上であるために精算が中止されている。
【０１３６】
しかし、上記のように両替が中止されると、１番両替精算装置を備えた遊技島１で遊技中の遊技客が両替する時は、わざわざ３番両替精算装置まで出向かなければならず、３番両替精算装置を備えた遊技島１で遊技中の遊技客が精算する時は、わざわざ１番両替精算装置或いは５番両替精算装置に出向かなければならなくなり、不便である。
【０１３７】
上記の不都合を解消するため、図２８の確認画面図のように、両替時は低額貨幣量を１番両替精算装置と２番両替精算装置とを比較し、多い方を両替中止状態を解除するように制御される。
【０１３８】
また、精算時は精算制御指数を２番両替精算装置、３番両替精算装置、４番両替精算装置とで比較し、最も大きい装置（２番両替精算装置）の精算中止状態を解除するように制御される。
【０１３９】
図２９は、遊技機３の稼動状態を認識するフローチャート図である。
【０１４０】
パチンコ機の稼動状況は、大当たり信号、入玉信号及び玉貸出信号を基に判定される。
【０１４１】
初期の稼動状況は、非稼働台に設定される。非稼働台に設定された状態で、入玉信号が検出されると稼動台に変更される（ステップ２９０１〜２９０３）。
【０１４２】
稼動台に設定された状態で、一定期間、入玉信号が検出されないとき、遊技の行われていない非稼働の状態になったと判定し、稼動状況を非稼働台に戻す（ステップ２９０４）。一方、入玉信号が検出され、且つ大当たり信号が検出されない状態のときは、稼動台の状態に継続設定される（ステップ２９０４、２９０５）。
【０１４３】
大当たり信号が検出されると、フィーバー台として設定され、大当たり信号が途切れるまでフィーバー台として認識される（ステップ２９０５、２９０６）。
【０１４４】
また、大当たり信号が途切れた場合に、玉貸出信号及び入玉信号を検出されたか否かの判別に移行される（ステップ２９０７、２９０８）。
【０１４５】
玉貸出信号を検出せず、入玉信号を検出した場合は、連続遊技台（大当たりで獲得した出玉を使用して遊技が行える）に設定され、玉貸出信号を検出し、入玉信号を検出しなかった場合は、非稼動台として設定される（ステップ２９０９、２９１０）。
【０１４６】
また、玉貸出信号を検出し、入玉信号を検出した場合は、稼動台として設定され、玉貸出信号及び入玉信号を検出しなかった場合は、非稼働台（仮）として設定され、後の玉貸出信号或いは入玉信号により、連続遊技台或いは稼動台に設定される（ステップ２９０８、２９０９、２９１１）。
【０１４７】
連続遊技台として設定された場合も継続して玉貸出信号及び入玉信号を検出されたか否かの判別を行う。
【０１４８】
玉貸出信号が検出され、入玉信号が検出されなかった場合は、非稼働台として設定され（ステップ２９１２、２９１３、２９０１）、玉貸出信号が検出され、入玉信号も検出された場合は、稼動台に設定され、玉貸出信号が検出されず、入玉信号が検出された場合は、連続遊技台のまま維持され、玉貸出信号が検出されず、入玉信号も検出されなかった場合は非稼働台（仮）として後の玉貸出信号或いは入玉信号により、連続遊技台或いは稼動台、非稼働台に設定される（ステップ２９１２、２９１４〜２９１６）。
【０１４９】
本発明は、前記の実施の形態に限定されるものではなく、次のような拡張及び変更をするようにしてもよい。
【０１５０】
本実施の形態では、両替精算装置の操作手順等を主表示部により行っているが、本体に設けられているスピーカにより操作手順等の説明を行ってもよい。
【０１５１】
また、本実施の形態では不正防止策は述べていないが、本体操作部付近等に監視カメラを設置し、本体にカードを挿入することにより、或いは本体に両替或いは精算者が近づくことにより、前記監視カメラが作動し、撮影及び録画を行うようにすれば、不正行為を迅速に発見でき、対応することができる。
【０１５２】
また、計数機を遊技島のほぼ中央に設けたが、計数機を両替精算装置の近く或いは、装置内に設けることにより、計数後に計数機から排出されるカードを使用せずに、直接現金に交換することができるようになる。
【０１５３】
また、両替精算装置で、一般景品等と交換することができるようにしてもよく、この場合は、遊技者が獲得したパチンコ玉数を認識できるカードを挿入することにより、遊技者の選択により獲得したパチンコ玉の範囲内で所望の景品を直接放出したり、或いは景品交換可能な景品交換カードを新たに発券するように構成するようになる。
【０１５４】
また、両替精算装置の貨幣放出口に各種ランプを設けることにより、貨幣が放出される放出口に対応するランプが点灯及び点滅することにより、放出される貨幣の取り忘れの防止をすることができる。
【０１５５】
また、紙幣の放出口を金種に応じて、別々に設けたが、別々に設ける必要はなく、全ての金種を１つの放出口より放出するように構成してもよい。
【０１５６】
【発明の効果】
本発明の両替精算装置の制御システムでは、両替精算装置内に貯留されている貨幣の量を隣り合う両替精算装置間で制御しているため、貨幣の回収或いは補給をする回数を滅らすことができ、且つ補給及び回収をする時は、一括して全両替精算装置を実施することができるため、従業員の労力を削減することができる。
【０１５７】
また、両替精算装置の両替中止或いは精算中止を隣り合う両替精算装置が連続して中止になることがないため、遊技者が両替或いは精算する時に、遠くの装置まで出向く必要がなく、稼働率の上がり強いては遊技場の利益の向上につながる。
【図面の簡単な説明】
【図１】本発明の一実施の形態に係る遊技場全体のシステム構成図である。
【図２】本発明の一実施の形態に係る両替精算装置の斜視図である。
【図３】本発明に関する両替精算装置の設置状態斜視図である。
【図４】本発明に関する両替精算装置の設置状態一部拡大斜視図である。
【図５】本発明に関する両替精算装置のブロック図である。
【図６】本発明に関する両替精算装置の精算時における主表示部の表示状態図である。
【図７】本発明に関する両替精算装置の両替精算表示部の表示状態図である。
【図８】本発明に関する両替精算管理端末機の斜視図である。
【図９】本発明に関する両替精算管理端末機のブロック図である。
【図１０】本発明に関する遊技場の両替精算装置の配置例図である。
【図１１】本発明に関する両替中止及び両替中止解除決定図である。
【図１２】本発明に関する精算中止及び精算中止解除決定図である。
【図１３】本発明に関する両替及び精算状態決定図である。
【図１４】本発明に関する１番両替精算装置の両替中止までのフローチャート図である。
【図１５】本発明に関する４番両替精算装置の両替中止までのフローチャート図である。
【図１６】本発明に関する４番両替精算装置の両替中止までのフローチャート図である。
【図１７】本発明に関する４番両替精算装置の両替中止までのフローチャート図である。
【図１８】本発明に関する４番両替精算装置の両替中止までのフローチャート図である。
【図１９】本発明に関する両替精算装置の両替中止から両替中止解除までのフローチャート図である。
【図２０】本発明に関する１番両替精算装置の精算中止までのフローチャート図である。
【図２１】本発明に関する４番両替精算装置の精算中止までのフローチャート図である。
【図２２】本発明に関する４番両替精算装置の精算中止までのフローチャート図である。
【図２３】本発明に聞する４番両替精算装置の精算中止までのフローチャート図である。
【図２４】本発明に聞する４番両替精算装置の精算中止までのフローチャート図である。
【図２５】本発明に関する両替精算装置の精算中止から精算中止解除までのフローチャート図である。
【図２６】本発明に関する両替精算管理端末機の第１例の両替精算装置状態確認画面図である。
【図２７】本発明に関する両替精算管理端末機の第２例の両替精算装置状態確認画面図である。
【図２８】本発明に関する両替精算管理端末機の第２例の両替精算装置状態確認画面図である。
【図２９】本発明に関する遊技機の稼動状況認識フローチャート図である。
【符号の説明】
１…遊技島
２…遊技媒体貸し機
３…遊技機
１０…両替精算装置
１１…低額貨幣処理部
１２…高額貨幣処理部
１３…投入口
１３Ｓ…投入口シャッター
１４…挿入口
１４Ｓ…挿入口シャッター
２０…両替精算状況表示部
３０…制御手段
５０…両替精算管理端末
【図１】
0004011173.tif 000002
【図２】
0004011173.tif 000003
【図３】
0004011173.tif 000004
【図４】
0004011173.tif 000005
【図５】
0004011173.tif 000006
【図６】
0004011173.tif 000007
【図７】
0004011173.tif 000008
【図８】
0004011173.tif 000009
【図９】
0004011173.tif 000010
【図１０】
0004011173.tif 000011
【図１１】
0004011173.tif 000012
【図１２】
0004011173.tif 000013
【図１３】
0004011173.tif 000014
【図１４】
0004011173.tif 000015
【図１５】
0004011173.tif 000016
【図１６】
0004011173.tif 000017
【図１７】
0004011173.tif 000018
【図１８】
0004011173.tif 000019
【図１９】
0004011173.tif 000020
【図２０】
0004011173.tif 000021
【図２１】
0004011173.tif 000022
【図２２】
0004011173.tif 000023
【図２３】
0004011173.tif 000024
【図２４】
0004011173.tif 000025
【図２５】
0004011173.tif 000026
【図２６】
0004011173.tif 000027
【図２７】
0004011173.tif 000028
【図２８】
0004011173.tif 000029
【図２９】
0004011173.tif 000030